(57)【特許請求の範囲】
【請求項１】
開口を有する本体と揺動により該開口を開閉する蓋体との間に介在し、該蓋体の揺動軸に直交する面に対して面対称形状に設けられる蓋体の開閉機構であって、
前記蓋体の仮想の第一揺動軸を中心とした第一円弧に沿うように該第一円弧の半径方向外側に向いた歯が形成され前記本体の前記開口を挟んで対向する一側部及び他側部に固定された一対の第一ラックと、
各前記第一ラックと噛合すると共に前記蓋体の前記一側部側及び前記他側部側のそれぞれに固定された一対の円弧状の第一ピニオンと、
前記第一円弧よりも大径で前記第一揺動軸を中心とした第二円弧に沿うように該第二円弧の半径方向内側に向いた歯が形成され前記本体の前記一側部及び前記他側部に固定された一対の第二ラックと、
各前記第二ラックと噛合すると共に前記蓋体の第二揺動軸となる各前記第一ピニオンの回動中心にそれぞれ回動自在に枢支された一対の円弧状の第二ピニオンと、
前記第一揺動軸から離れるにつれて前記本体に近づくように傾斜すると共に前記第一円弧に沿うように形成され該本体の前記一側部及び前記他側部に固定された一対の第一固定テーパ部と、
前記第二揺動軸から離れるにつれて前記本体から離れるように傾斜すると共に各前記第一ピニオンの歯のピッチ円に沿うように形成されかつ各該第一ピニオンに固定され、前記蓋体の揺動動作中常に各前記第一固定テーパ部に当接する一対の第一可動テーパ部と、
前記第一揺動軸から離れるにつれて前記本体から離れるように傾斜すると共に前記第二円弧に沿うように形成され該本体の前記一側部及び前記他側部に固定された一対の第二固定テーパ部と、
前記第二揺動軸から離れるにつれて前記本体から離れるように傾斜すると共に各前記第二ピニオンの歯のピッチ円に沿うように形成されかつ各該第二ピニオンに固定され、前記蓋体の揺動動作中常に各前記第二固定テーパ部に当接する一対の第二可動テーパ部と、
を備える蓋体の開閉機構。
【発明の詳細な説明】
【技術分野】
【０００１】
本発明は、開口を有する本体の開口を開閉する蓋体の開閉機構に関するものである。
【背景技術】
【０００２】
蓋付の収納装置としては従来より種々のものが知られている。例えば、自動車の車室内にはカップホルダや収納ボックス等の収納装置が配設される。このような収納装置の蓋体の開閉機構としては、一箇所の揺動軸を中心として蓋体を本体に対して一軸的に揺動させるものがある。蓋体の揺動を一軸的に行う場合には、揺動軸を中心とした蓋体の揺動軌跡は大きいものとなり、蓋体の開閉のためのスペースを大きくとる必要がある。この場合、自動車の車室内など限られた空間では、収納装置の配置スペースの確保が困難となったり、蓋体の開閉がし難くなったりする場合がある。そこで、例えば、特許文献１及び２には、２箇所の揺動軸を中心として蓋体を本体に対して二軸的に揺動させることにより、蓋体の揺動軌跡の省スペース化が図られた蓋体の開閉機構が開示されている。
【０００３】
図７は、特許文献１に開示されている蓋体の開閉機構５１を備えた収納装置Ｂ１の閉状態における模式断面図を示している。収納装置Ｂ１は、自動車のセンターコンソール５２に配設されているセンターコンソールボックスである。蓋体の開閉機構５１は、開口５３ａを有する本体５３と、揺動により開口５３ａを開閉する蓋体５４との間に介在し、蓋体５４の揺動軸Ｓ１、Ｓ２に直交する面に対して面対称形状に設けられる機構である。すなわち、蓋体の開閉機構５１は、本体５３の一側壁５３Ｌ側及び一側壁５３Ｌに対向する他側壁側（図示せず）に面対称形状に設けられており、図７は、一側壁５３Ｌ側に設けられた蓋体の開閉機構５１を示している。
【０００４】
図７に示すように、蓋体の開閉機構５１は、一端側に形成された第一揺動軸Ｓ１と他端側に形成された第二揺動軸Ｓ２とを有し第一揺動軸Ｓ１で本体５３の一側壁５３Ｌに揺動自在に枢支された連結腕部５７と、第一揺動軸Ｓ１を中心とした円弧に沿って部分円弧状に配置され本体５３の一側壁５３Ｌに固定されたラック５５と、第二揺動軸Ｓ２に揺動自在に枢支されラック５５と噛合する部分円弧状のピニオン５６と、を備えている。蓋体５４の揺動中心部側には蓋体５４の閉位置において本体５３の開口５３ａ方向に延びる保持片５４ａが形成されており、保持片５４ａの先端側にピニオン５６が一体に形成されている。
【０００５】
図７に示す蓋体５４の閉位置から、蓋体５４の自由端部側を持ち上げると、保持片５４ａは、第二揺動軸Ｓ２を中心に連結腕部５７に対して揺動する。このとき、保持片５４ａに設けられたピニオン５６が本体５３に固定されたラック５５と噛合していることによって、ピニオン５６の揺動が駆動されて、連結腕部５７が第一揺動軸Ｓ１を中心として下方に揺動する。そして、第二揺動軸Ｓ２は本体５３の下方に向けて移動する。このように、蓋体５４の揺動は、第二揺動軸Ｓ２を中心とした保持片５４ａの連結腕部５７に対する揺動と、第一揺動軸Ｓ１を中心とした連結腕部５７の本体５３に対する揺動との２種類の揺動が足し合わされたものとなる。
【０００６】
図８は、特許文献２に開示されている蓋体の開閉機構６１を備えた収納装置Ｂ２の開状態と閉状態との推移状態における模式断面図を示している。収納装置Ｂ２は、上述した収納装置Ｂ１と同様にセンターコンソールボックスである。蓋体の開閉機構６１は、開口６３ａを有する本体６３と、揺動により開口６３ａを開閉する蓋体６４との間に介在し、蓋体６４の揺動軸Ｔ１、Ｔ２に直交する面に対して面対称形状に設けられる機構である。すなわち、蓋体の開閉機構６１は、本体６３の一側壁側（図示せず）及び一側壁に対向する他側壁６３Ｒ側に面対称形状に設けられており、図８は、他側壁６３Ｒ側に設けられた蓋体の開閉機構６１を示している。
【０００７】
図８に示すように、蓋体の開閉機構６１は、蓋体６４の仮想の第一揺動軸Ｔ１を中心とした第一円弧に沿って部分円弧状に配置され本体６３の他側壁６３Ｒに固定された第一ラック６５と、第二揺動軸Ｔ２に揺動自在に枢支され第一ラック６５と噛合する部分円弧状の第一ピニオン６６と、前記第一円弧よりも大径で第一揺動軸Ｔ１を中心とした第二円弧に沿って部分円弧状に配置され本体６３の他側壁６３Ｒに固定された第二ラック６７と、第二ラック６７と噛合すると共に蓋体６４の第二揺動軸Ｔ２となる第一ピニオン６６の回動中心にダンパ６９を介して回動自在に枢支された円弧状の第二ピニオン６８と、を備えている。蓋体６４の揺動中心部側には蓋体６４の閉位置において本体６３の開口６３ａ方向に延びる保持片６４ａが形成されており、保持片６４ａに第一ピニオン６６が固定されている。本体６３の他側壁６３Ｒの上方部に突設されたボス６３ｃと、第一ピニオン６６の下方部に形成された装着部６６ａとを繋ぐようにトーションスプリング７０が装着されている。
【０００８】
蓋体６４の閉位置においては、トーションスプリング７０に付勢力が蓄積された状態で図略のロック装置により蓋体６４が閉位置にロックされている。蓋体６４のロックを解除すると、図８に示すように、トーションスプリング７０の付勢力によって、蓋体６４が開位置に向けて揺動し始める。このとき、保持片６４ａに固定された第一ピニオン６６が本体６３に固定された第一ラック６５と噛合していることによって、第二揺動軸Ｔ２を中心とした第一ピニオン６６の揺動が駆動されつつ、第一ピニオン６６が第一揺動軸Ｔ１を中心として下方に揺動する。そして、第二揺動軸Ｔ２は本体６３の下方に向けて移動する。
【０００９】
このように、蓋体の開閉機構６１における蓋体６４の揺動は、第一揺動軸Ｔ１を中心とした第一ピニオン６６の本体６３に対する揺動と、第二揺動軸Ｔ２を中心とした第一ピニオン６６の揺動との２種類の揺動が足し合わされたものとなる。そして、第一ピニオン６６が下方に揺動しているときには、第二ラック６７と第二ピニオン６８とが噛合している状態となっているため、トーションスプリング７０による付勢力がダンパ６９によって減衰される。これにより、蓋体６４は、ゆっくり開放され、静かに移動し、収納装置Ｂ２に高級感を付与することができる。
【先行技術文献】
【特許文献】
【００１０】
【特許文献１】特許第４２５８１７５号
【特許文献２】特開２００９−２４８７９３号公報
【発明の概要】
【発明が解決しようとする課題】
【００１１】
特許文献１に開示されている蓋体の開閉機構５１においては、連結腕部５７によって、本体５３に対して蓋体５４が蓋体５４の揺動軸Ｓ１、Ｓ２方向及び揺動軸Ｓ１、Ｓ２に直交する方向に位置決めされている。これにより、蓋体５４の揺動動作中、ラック５５とピニオン５６との噛合が揺動軸Ｓ１、Ｓ２方向にずれることがなく、また、ラック５５の歯のピッチ円とピニオン５６の歯のピッチ円との間隔を適正な間隔に保つことが可能となっている。しかし、蓋体５４を本体５３に対して二軸的に揺動させているため、蓋体の揺動を一軸的に行う蓋体の開閉機構に比べて部品点数が増加するのが難点である。具体的には、図７に示した連結腕部５７が蓋体の揺動を一軸的に行う蓋体の開閉機構に比べて増加する部品となっている。
【００１２】
これに対して、特許文献２に開示されている蓋体の開閉機構６１においては、本体６３に固定された第一及び第二ラック６５及び６７と、第一及び第二ラック６５及び６７にそれぞれ噛合する第一及び第二ピニオン６６及び６８とを遊星ギヤのように組み合わせることによって、上述した連結腕部５７を用いることなく、蓋体６４を本体６３に対して二軸的に揺動させることを可能としている。したがって、蓋体の開閉機構６１においては、蓋体の揺動を一軸的に行う蓋体の開閉機構に対して、最小限の部品点数の増加により蓋体６４の二軸的な揺動を可能としている。
【００１３】
ところが、蓋体の開閉機構６１においては、トーションスプリング７０が第一ラック６５と第一ピニオン６６との噛合が外れないように保持する保持手段としての役割を兼ね備えているものの、上述した蓋体の開閉機構５１に備わる連結腕部５７のような蓋体６４の動きを厳密に位置決めする機能を有していない。このため、本体６３に対して蓋体６４が蓋体６４の揺動軸Ｔ１、Ｔ２方向及び揺動軸Ｔ１、Ｔ２に直交する方向にがたつく。第一ラック６５及び第二ラック６７の間で、第一及び第二ピニオン６６及び６８ががたつくと、使用者は、歯の噛み合わせ抵抗によるゴリゴリした感触を感じることとなり、これが操作フィーリングの悪化を招く虞がある。
【００１４】
本発明は、上記実情に鑑みてなされたものであり、開口を有する本体に対して開口を開閉する蓋体が二軸的に揺動する蓋体の開閉機構において、部品点数の増加を抑えた簡素な構成で、蓋体の揺動動作中の良好な操作フィーリングが得られる蓋体の開閉機構を提供することを目的とする。
【課題を解決するための手段】
【００１５】
上述した課題を解決するために、請求項１に係る蓋体の開閉機構の発明の構成上の特徴は、開口を有する本体と揺動により該開口を開閉する蓋体との間に介在し、該蓋体の揺動軸に直交する面に対して面対称形状に設けられる蓋体の開閉機構であって、前記蓋体の仮想の第一揺動軸を中心とした第一円弧に沿うように該第一円弧の半径方向外側に向いた歯が形成され前記本体の前記開口を挟んで対向する一側部及び他側部に固定された一対の第一ラックと、各前記第一ラックと噛合すると共に前記蓋体の前記一側部側及び前記他側部側のそれぞれに固定された一対の円弧状の第一ピニオンと、前記第一円弧よりも大径で前記第一揺動軸を中心とした第二円弧に沿うように該第二円弧の半径方向内側に向いた歯が形成され前記本体の前記一側部及び前記他側部に固定された一対の第二ラックと、各前記第二ラックと噛合すると共に前記蓋体の第二揺動軸となる各前記第一ピニオンの回動中心にそれぞれ回動自在に枢支された一対の円弧状の第二ピニオンと、
前記第一揺動軸から離れるにつれて前記本体に近づくように傾斜すると共に前記第一円弧に沿うように形成され該本体の前記一側部及び前記他側部に固定された一対の第一固定テーパ部と、前記第二揺動軸から離れるにつれて前記本体から離れるように傾斜すると共に各前記第一ピニオンの歯のピッチ円に沿うように形成されかつ各該第一ピニオンに固定され、前記蓋体の揺動動作中常に各前記第一固定テーパ部に当接する一対の第一可動テーパ部と、前記第一揺動軸から離れるにつれて前記本体から離れるように傾斜すると共に前記第二円弧に沿うように形成され該本体の前記一側部及び前記他側部に固定された一対の第二固定テーパ部と、前記第二揺動軸から離れるにつれて前記本体から離れるように傾斜すると共に各前記第二ピニオンの歯のピッチ円に沿うように形成されかつ各該第二ピニオンに固定され、前記蓋体の揺動動作中常に各前記第二固定テーパ部に当接する一対の第二可動テーパ部と、を備えることである。
【００１６】
なお、請求項１における「固定され」という記載は、可動状態ではなく固定状態で設けられていることを意味している。したがって、「固定され」には、別体の部材（部品）同士がネジ等で互いに固定されることと、二つの部位が一体に形成されることとの両方が含まれている。
【発明の効果】
【００１７】
請求項１に係る蓋体の開閉機構によれば、蓋体の仮想の第一揺動軸を中心とした第一円弧に沿うように形成され本体に固定された第一ラックと、蓋体に固定された第一ピニオンとが噛合している。また、第一円弧よりも大径で第一揺動軸を中心とした第二円弧に沿うように形成され本体に固定された第二ラックと、蓋体の第二揺動軸となる第一ピニオンの回動中心に回動自在に枢支された第二ピニオンとが噛合している。これにより、部品点数の増加を抑えた簡素な構成で、蓋体を本体に対して二軸的に揺動させることが可能となっている。
【００１８】
また、請求項１に係る蓋体の開閉機構によれば、本体に固定された円弧状の第一固定テーパ部は、第一揺動軸から離れるにつれて本体に近づくように傾斜している。また、第一ピニオンに固定された円弧状の第一可動テーパ部は、第二揺動軸から離れるにつれて本体から離れるように傾斜している。そして、蓋体の揺動動作中常に第一固定テーパ部と第一可動テーパ部とが当接している。したがって、第一ピニオンに固定された第一可動テーパ部が第一固定テーパ部から受ける推力は、第一固定テーパ部の面に直交する方向、すなわち、蓋体の揺動動作中常に本体から離れる方向かつ第一揺動軸から離れる方向に向いている。
【００１９】
また、請求項１に係る蓋体の開閉機構によれば、本体に固定された円弧状の第二固定テーパ部は、第一揺動軸から離れるにつれて本体から離れるように傾斜している。また、第二ピニオンに固定された円弧状の第二可動テーパ部は、第二揺動軸から離れるにつれて本体から離れるように傾斜している。そして、蓋体の揺動動作中常に第二固定テーパ部と第二可動テーパ部とが当接している。したがって、第二ピニオンに固定された第二可動テーパ部が第二固定テーパ部から受ける推力は、第二固定テーパ部の面に直交する方向、すなわち、蓋体の揺動動作中常に本体から離れる方向かつ第一揺動軸に近づく方向に向いている。
【００２０】
すなわち、蓋体の揺動軸に直交する方向において、蓋体に固定された第一ピニオンが第一固定テーパ部から受ける推力と、第一ピニオンに枢支された第二ピニオンが第二固定テーパ部から受ける推力とは、互いに打ち消し合う方向となっている。また、蓋体の揺動軸方向において、蓋体の一側部側に固定された第一ピニオンが、一側部側の第一及び第二固定テーパ部から受ける推力と、蓋体の他側部側に固定された第一ピニオンが、他側部側の第一及び第二固定テーパ部から受ける推力とは、互いに打ち消し合う方向となっている。
【００２１】
よって、請求項１に係る蓋体の開閉機構によれば、本体に対して蓋体が蓋体の揺動軸方向及び揺動軸に直交する方向に厳密に位置決めされる。よって、第一ラックの歯のピッチ円と第一ピニオンの歯のピッチ円との間隔、及び第二ラックの歯のピッチ円と第二ピニオンの歯のピッチ円との間隔を、それぞれ蓋体の揺動動作中常に適正な間隔に保つことが可能であり、蓋体の揺動動作中の良好な操作フィーリングを得ることができる。
【図面の簡単な説明】
【００２２】
【図１】一実施形態に係る蓋体の開閉機構を備えた収納装置の閉状態における斜視図である。
【図２】一実施形態に係る蓋体の開閉機構を備えた収納装置の分解斜視図である。
【図３】一実施形態に係る蓋体の開閉機構を備えた収納装置の閉状態における模式断面図である。
【図４】一実施形態に係る蓋体の開閉機構を備えた収納装置の開状態と閉状態との推移状態における模式断面図である。
【図５】一実施形態に係る蓋体の開閉機構を備えた収納装置の開状態における模式断面図である。
【図６】図３におけるＡ−Ａ線で切断した断面図である。
【図７】従来の蓋体の開閉機構を備えた収納装置の閉状態における模式断面図である。
【図８】従来の他の蓋体の開閉機構を備えた収納装置の開状態と閉状態との推移状態における模式断面図である。
【発明を実施するための形態】
【００２３】
図１〜６に基づき、本発明の一実施形態に係る蓋体の開閉機構について説明する。なお、説明中における上、下、左、右、前、後とは、図１及び２に示す上、下、左、右、前、後のことであり、蓋体の自由端部側（図１及び２における後方）に対面した使用者から見た上、下、左、右、前、後を指している。なお、図１及び２における上下方向は紙面平行方向、前方向及び右方向は紙面奥方向、後方向及び左方向は紙面手前方向に向いている。
【００２４】
図１は、本実施形態に係る蓋体の開閉機構１を備えた収納装置Ｂの閉状態における斜視図を示している。図２は、収納装置Ｂの左半分の分解斜視図を示している。収納装置Ｂは、自動車のセンターコンソール２に配設されている合成樹脂製のセンターコンソールボックスである。収納装置Ｂは、上方に開口３ａを有し矩形箱形を呈する本体３と、揺動により開口３ａを開閉する蓋体４と、本体３と蓋体４との間に介在する蓋体の開閉機構１と、を備えている。図１に示すように、蓋体の開閉機構１は、蓋体４の揺動軸Ａ１、Ａ２に直交する面に対して面対称形状に設けられる機構である。すなわち、蓋体の開閉機構１は、本体３の左側壁３Ｌ（一側部）側及び左側壁３Ｌに対向する右側壁３Ｒ（他側部）側に面対称形状に設けられている。
【００２５】
蓋体の開閉機構１は、それぞれ左右一対に設けられた第一ラック５と、第一ピニオン６と、第二ラック７と、第二ピニオン８と、ダンパ９と、を備えている。また、蓋体の開閉機構１には、図８に示した従来の蓋体の開閉機構６１に備わるトーションスプリング７０と同様の図略のトーションスプリングと、蓋体４を閉位置にロックする図略のロック機構とが装備されている。蓋体４は、図１に示す第一揺動軸Ａ１及び第二揺動軸Ａ２を中心として本体３に対して二軸的に揺動する。
【００２６】
ここで、第一揺動軸Ａ１は、軸部材を有していない仮想の揺動軸である。蓋体の開閉機構１は、本体３の左側壁３Ｌ側及び右側壁３Ｒ側で面対称形状に設けられているため、以下の説明においては、左側壁３Ｌ側に設けられた蓋体の開閉機構１について説明し、右側壁３Ｒ側に設けられた蓋体の開閉機構１についての説明は省略する。
【００２７】
第一ラック５は、第一揺動軸Ａ１を中心とした第一円弧Ｃ１に沿うように、本体３の左側壁３Ｌから突出した部分円弧状のリブ状に形成されている（図１及び２参照）。第一ラック５には、第一円弧Ｃ１の半径方向外側に向いた多数の歯５ａが形成されている。第一ラック５の基端側には、第一固定テーパ部５ｂが形成されている。第一固定テーパ部５ｂは、第一揺動軸Ａ１から離れるにつれて本体３の左側壁３Ｌに近づくように傾斜すると共に、第一円弧Ｃ１に沿うように第一ラック５と一体に形成されている（図６参照）。
【００２８】
第一ピニオン６は、第二揺動軸Ａ２を中心として揺動する板状を呈する部材であり、第一揺動軸Ａ１側に部分円弧状に配置された多数の歯６ａを有している（図１及び２参照）。蓋体４の揺動中心部側（図１及び２における前方）には、蓋体４の閉位置において本体３の開口３ａ方向に延びる保持片４ａが形成されており、保持片４ａの先端側に第一ピニオン６が一体に形成されている。第一ピニオン６の本体３に対向する側には、第一可動テーパ部６ｂが形成されている。第一可動テーパ部６ｂは、第二揺動軸Ａ２から離れるにつれて本体３の左側壁３Ｌから離れるように傾斜すると共に、第一ピニオン６の歯６ａのピッチ円に沿うように第一ピニオン６と一体に形成されている（図６参照）。図２に示すように、第一ピニオン６には、板厚方向に貫通した丸穴６ｃが形成されている。
【００２９】
図１及び３〜６に示すように、蓋体４の揺動動作中常に、第一ラック５の歯５ａと第一ピニオン６の歯６ａとが噛合している。また、蓋体４の揺動動作中常に、第一ラック５と一体に形成された第一固定テーパ部５ｂと、第一ピニオン６と一体に形成された第一可動テーパ部６ｂとが当接している。
【００３０】
第二ラック７は、第一円弧Ｃ１よりも大径で第一揺動軸Ａ１を中心とした第二円弧Ｃ２に沿うように、本体３の左側壁３Ｌから突出した部分円弧状のリブ状に形成されている（図１及び２参照）。第二ラック７には、第二円弧Ｃ２の半径方向内側に向いた多数の歯７ａが形成されている。第二ラック７の基端側には、第二固定テーパ部７ｂが形成されている。第二固定テーパ部７ｂは、第一揺動軸Ａ１から離れるにつれて本体３の左側壁３Ｌから離れるように傾斜すると共に、第二円弧Ｃ２に沿うように第二ラック７と一体に形成されている（図６参照）。
【００３１】
第二ピニオン８は、第二揺動軸Ａ２を中心として回動する円弧状を呈する部材である。第二ピニオン８は、蓋体４の第二揺動軸Ａ２となる第一ピニオン６の回動中心にダンパ９を介して回動自在に枢支されている。第二ピニオン８の本体３に対向する側には、第二可動テーパ部８ｂが形成されている。第二可動テーパ部８ｂは、第二揺動軸Ａ２から離れるにつれて本体３の左側壁３Ｌから離れるように傾斜すると共に、第二ピニオン８の歯８ａのピッチ円に沿うように第二ピニオン８と一体に形成されている（図６参照）。
【００３２】
図１及び３〜６に示すように、蓋体４の揺動動作中常に、第二ラック７の歯７ａと第二ピニオン８の歯８ａとが噛合している。また、蓋体４の揺動動作中常に、第二ラック７と一体に形成された第二固定テーパ部７ｂと、第二ピニオン８と一体に形成された第二可動テーパ部８ｂとが当接している。
【００３３】
図６に示すように、ダンパ９は、ロータ軸９ａが回動したときに、ダンパ９の内部に収容されたロータが回動し、ロータがシリコンオイルなどの粘性流体の粘性抵抗を受けることによって、減衰力を得る部品である。図６に示すように、第二ピニオン８の中心がダンパ９のロータ軸９ａに連結されている。
【００３４】
図１及び２に示すように、蓋体の開閉機構１の組み立ては、次のように行う。蓋体４を閉位置の角度に保って、本体３の開口３ａを塞ぐように本体３に蓋体４を取り付ける。このとき、第一ラック５及び第一ピニオン６のそれぞれに設けられた目印を見ながら、第一ラック５の所定の歯５ａと、第一ピニオン６の所定の歯６ａとが噛合するように本体３に蓋体４を取り付ける。そして、第二ピニオン８と連結された状態となっているダンパ９を、第一ピニオン６に形成されている丸穴６ｃに第二ピニオン８側から挿入した後、第一ピニオン６にダンパ９をネジ止め固定する。これにより、第一ラック５の歯５ａと第一ピニオン６の歯６ａとが噛合し、かつ第二ラック７の歯７ａと第二ピニオン８の歯８ａとが噛合して蓋体の開閉機構１の組み立てが完了する。
【００３５】
図３〜５に基づき、蓋体の開閉機構１の動作について説明する。図３は、蓋体の開閉機構１を備えた収納装置Ｂの閉状態における模式断面図を示している。図４は、収納装置Ｂの開状態と閉状態との推移状態における模式断面図を示している。図５は、収納装置Ｂの開状態における模式断面図を示している。図３〜５は、それぞれ収納装置Ｂを左方から見た状態を示している。
【００３６】
図３に示す収納装置Ｂの閉状態においては、図略のトーションスプリングに付勢力が蓄積された状態で図略のロック装置により蓋体４が閉位置にロックされている。蓋体４のロックを解除すると、図４に示すように、図略のトーションスプリングの付勢力によって、蓋体４が開位置に向けて揺動し始める。このとき、蓋体４の保持片４ａの先端側に一体に形成された第一ピニオン６が、本体３に形成された第一ラック５と噛合していることによって、第二揺動軸Ａ２を中心とした第一ピニオン６の揺動が駆動されつつ、第一ピニオン６が第一揺動軸Ａ１を中心として下方に揺動する。そして、第二揺動軸Ａ２は本体３の下方に向けて移動する。
【００３７】
続いて、図４に示す収納装置Ｂの推移状態から、図略のトーションスプリングの付勢力によって、第一ピニオン６の揺動がさらに駆動されると、図５に示すように、第二揺動軸Ａ２を中心とした第一ピニオン６の揺動が駆動されつつ、第一ピニオン６が第一揺動軸Ａ１を中心としてさらに下方に揺動する。そして、第二揺動軸Ａ２は本体３の下方に向けてさらに移動する。
【００３８】
例えば、図３に示す収納装置Ｂの閉状態において、第一揺動軸Ａ１と第二揺動軸Ａ２とを結んだ線を線ＬＣ、図４に示す収納装置Ｂの推移状態において、第一揺動軸Ａ１と第二揺動軸Ａ２とを結んだ線を線ＬＭ、図５に示す収納装置Ｂの開状態において、第一揺動軸Ａ１と第二揺動軸Ａ２とを結んだ線を線ＬＯとした場合、収納装置Ｂの閉状態から推移状態までに、第一ピニオン６は、第一揺動軸Ａ１を中心として線ＬＣと線ＬＭとのなす角度αだけ下方に揺動し、第二揺動軸Ａ２を中心として角度βだけ反時計回りに揺動する。また、収納装置Ｂの閉状態から開状態までに、第一ピニオン６は、第一揺動軸Ａ１を中心として線ＬＣと線ＬＯとのなす角度α’（α’＞α）だけ下方に揺動し、第二揺動軸Ａ２を中心として角度β’（β’＞β）だけ反時計回りに揺動する。
【００３９】
このように、蓋体の開閉機構１における蓋体４の揺動は、第一揺動軸Ａ１を中心とした第一ピニオン６の本体３に対する揺動と、第二揺動軸Ａ２を中心とした第一ピニオン６の揺動との２種類の揺動が足し合わされたものとなる。こうして、蓋体４の自由端部側の揺動軌跡の上方への張り出しを抑えつつ、蓋体４を揺動させることが可能となっている。また、蓋体４の揺動動作中常に、第二ラック７の歯７ａと第二ピニオン８の歯８ａとが噛合している状態となっているため、図略のトーションスプリングによる付勢力がダンパ９によって減衰される。これにより、蓋体４は、ゆっくり開放され、静かに移動し、収納装置Ｂに高級感を付与することができる。
【００４０】
上述したとおり、蓋体４の揺動動作中常に、第一固定テーパ部５ｂと、第一可動テーパ部６ｂとが当接している。また、蓋体４の揺動動作中常に、第二固定テーパ部７ｂと、第二可動テーパ部８ｂとが当接している。したがって、図６に示すように、蓋体４の揺動動作中常に、第一可動テーパ部６ｂには、第一固定テーパ部５ｂの面に直交する方向への推力Ｒ１が作用する。推力Ｒ１は、本体３から離れる方向かつ第一揺動軸Ａ１から離れる方向に向いている。また、蓋体４の揺動動作中常に、第二可動テーパ部８ｂには、第二固定テーパ部７ｂの面に直交する方向への推力Ｒ２が作用する。推力Ｒ２は、本体３から離れる方向かつ第一揺動軸Ａ１に近づく方向に向いている。
【００４１】
このような本実施形態の構成によると、蓋体４の仮想の第一揺動軸Ａ１を中心とした第一円弧Ｃ１に沿うように形成され本体３に固定された第一ラック５と、蓋体４に固定された第一ピニオン６とが噛合している。また、第一円弧Ｃ１よりも大径で第一揺動軸Ａ１を中心とした第二円弧Ｃ２に沿うように形成され本体３に固定された第二ラック７と、蓋体３の第二揺動軸Ａ２となる第一ピニオン６の回動中心に回動自在に枢支された第二ピニオン８とが噛合している。これにより、部品点数の増加を抑えた簡素な構成で、蓋体４を本体３に対して二軸的に揺動させることが可能となっている。
【００４２】
また、本実施形態の構成によると、本体３に固定された円弧状の第一固定テーパ部５ｂは、第一揺動軸Ａ１から離れるにつれて本体３に近づくように傾斜している。また、第一ピニオン６に固定された円弧状の第一可動テーパ部６ｂは、第二揺動軸Ａ２から離れるにつれて本体３から離れるように傾斜している。そして、蓋体４の揺動動作中常に第一固定テーパ部５ｂと第一可動テーパ部６ｂとが当接している。したがって、第一可動テーパ部６ｂは、第一固定テーパ部５ｂから、本体３から離れる方向かつ第一揺動軸Ａ１から離れる方向に向いている推力Ｒ１を受ける。
【００４３】
また、本実施形態の構成によると、本体３に固定された円弧状の第二固定テーパ部７ｂは、第一揺動軸Ａ１から離れるにつれて本体３から離れるように傾斜している。また、第二ピニオン８に固定された円弧状の第二可動テーパ部８ｂは、第二揺動軸Ａ２から離れるにつれて本体３から離れるように傾斜している。そして、蓋体４の揺動動作中常に第二固定テーパ部７ｂと第二可動テーパ部８ｂとが当接している。したがって、第二可動テーパ部８ｂは、第二固定テーパ部７ｂから、本体３から離れる方向かつ第一揺動軸Ａ１に近づく方向に向いている推力Ｒ２を受ける。
【００４４】
すなわち、蓋体４の揺動軸Ａ１、Ａ２に直交する方向において、蓋体４に固定された第一ピニオン６が第一固定テーパ部５ｂから受ける推力Ｒ１と、第一ピニオン６に枢支された第二ピニオン８が第二固定テーパ部７ｂから受ける推力Ｒ２とは、互いに打ち消し合う方向となっている。また、蓋体４の揺動軸Ａ１、Ａ２方向において、蓋体４の左側壁３Ｌ側に固定された第一ピニオン６が、左側壁３Ｌ側の第一及び第二固定テーパ部５ｂ及び７ｂから受ける推力Ｒ１及びＲ２と、蓋体４の右側壁３Ｒ側に固定された第一ピニオンが、右側壁３Ｒ側の第一及び第二固定テーパ部から受ける推力とは、互いに打ち消し合う方向となっている。
【００４５】
よって、本実施形態に係る蓋体の開閉機構１によれば、本体３に対して蓋体４が蓋体４の揺動軸Ａ１、Ａ２方向及び揺動軸Ａ１、Ａ２方向に直交する方向に厳密に位置決めされる。よって、第一ラック５の歯５ａのピッチ円と第一ピニオン６の歯６ｂのピッチ円との間隔、及び第二ラック７の歯７ａのピッチ円と第二ピニオン８の歯８ａのピッチ円との間隔を、それぞれ蓋体４の揺動動作中常に適正な間隔に保つことが可能であり、蓋体４の揺動動作中の良好な操作フィーリングを得ることができる。
【００４６】
本発明の蓋体の開閉機構は、上述した一実施形態に限定されるものではなく、本発明の要旨を逸脱しない範囲において、当業者が行い得る変更、改良等を施した種々の形態にて実施することができることは言うまでもない。
【００４７】
例えば、本実施形態においては、本体３の開口３ａを上方に向けて収納装置Ｂを配置しているが、収納装置Ｂの向きは限定されない。例えば、本体３の開口３ａを斜め上方、水平方向、あるいは下方に向けて収納装置Ｂを配置することもできる。
【００４８】
また、本実施形態においては、蓋体４を開方向に揺動付勢する図略のトーションスプリングと、蓋体４を閉位置にロックする図略のロック装置とを配設して、蓋体４の揺動が自動で行われるようにしている。しかし、蓋体４の揺動は自動に限定されない。蓋体の開閉機構に、図略のトーションスプリング及び図略のロック装置を配設することなく、蓋体４の揺動を手動で行うようにしてもよい。この場合、蓋体４を手動で揺動させる操作力がダンパ９によって減衰されるため、使用者は、蓋体４を揺動させるときに適度な操作抵抗を感じることが可能であり、蓋体４の揺動動作中の良好な操作フィーリングを得ることができる。
【符号の説明】
【００４９】
１    …  蓋体の開閉機構                ３    …  本体
３ａ  …  開口                          ３Ｌ  …  左側壁（一側部）
３Ｒ  …  右側壁（他側部）              ４    …  蓋体
５    …  第一ラック                    ５ａ  …  歯
５ｂ  …  第一固定テーパ部              ６    …  第一ピニオン
６ａ  …  歯                            ６ｂ  …  第一可動テーパ部
７    …  第二ラック                    ７ａ  …  歯
７ｂ  …  第二固定テーパ部              ８    …  第二ピニオン
８ａ  …  歯                            ８ｂ  …  第二可動テーパ部
Ａ１  …  第一揺動軸                    Ａ２  …  第二揺動軸
Ｃ１  …  第一円弧                      Ｃ２  …  第二円弧
【図１】
0005772722.tif 000002
【図２】
0005772722.tif 000003
【図３】
0005772722.tif 000004
【図４】
0005772722.tif 000005
【図５】
0005772722.tif 000006
【図６】
0005772722.tif 000007
【図７】
0005772722.tif 000008
【図８】
0005772722.tif 000009